(57)【要約】本発明に係る品物は、第一部（１６）と第二部（１８）とが相互に接続されていることが特徴のシート（１１）を含む。例えば、グリーティングカード（１０）が挙げられる。当該第一部（１６）は立体形状に組み立てられ、当該第二部は上記立体形状に組み立てられた当該第一部に隣接するように適応されている。当該第一部（１６）及び第二部（１８）は折りたたまれて繋がり、当該第二部（１８）は立体形状に組み立てられた当該第一部に隣接するよう折りたたまれ、そこに固定されている。当該第一部（１６）は、反対方向に位置する二辺（２６，２８）を有し、当該二辺が接続されることによって立体形状が形成されている。グリーティングカード（１０）は、崩した状態で伝統的なカードと同様に対象とする受取人に送られることが可能である。また、簡単に立体型に組み立てられることにより、受取人に面白みをもたせ展示を促すことが可能となる。【選択図】図１
2010515608.tif 000002
【特許請求の範囲】
【請求項１】
第一部と、当該第一部と第二部とが相互につながっていることを特徴とするシートを含む品物であって、
上記第一部は立体形状に組み立てられ、
上記第二部は上記立体形状に組み立てられた当該第一部に隣接することを特徴とする物品。
【請求項２】
上記第二部が、立体形状に組み立てられた上記第一部に直立状態で隣接するように配置されていることを特徴とする請求項１に記載の物品。
【請求項３】
上記第二部が、立体形状に組み立てられた上記第一部に直立状態で固定されることを特徴とする請求項２に記載の物品。
【請求項４】
接着手段が、立体形状に組み立てられた上記第一部に咬み合わされた状態で上記第二部を固定することを特徴とする請求項３に記載の物品。
【請求項５】
上記第一部及び上記第二部は折りたたまれてつながっており、当該第二部が折りたたまれた状態で、立体形状に組み立てられた当該第一部に隣接して位置される請求項１から請求項４のいずれかに記載の物品。
【請求項６】
上記シートが、上記第一部と上記第二部とを相互に接続する折りたたみ線を含む請求項５に記載の物品。
【請求項７】
立体形状に組み立てられた上記第一部が前面とされ、上記第二部が当該前面の背面とされる請求項１から請求項６のいずれかに記載の物品。
【請求項８】
上記第一部が、反対方向に位置する二辺を有し、当該二辺を接続させることによって立体形状が形成される請求項１から請求項７のいずれかに記載の物品。
【請求項９】
上記シートは単一の平面素材によってなる請求項１から請求項８のいずれかに記載の物品。
【請求項１０】
上記第一部が少なくとも二つの部位を含み、当該部位はそれぞれ接続して一体化され、更に当該部位が切り離されて、当該第一部が立体形状に組み立てられた際に、当該第一部における一部位がその他の部位から突出される請求項１から請求項９のいずれかに記載の物品。
【請求項１１】
上記第一部が、立体形状に組み立てられた際に胴と頭を有する体を表現し、当該第一部における上記一部位が頭と胴の上部とを形成し、上記その他の部位が胴の下部を形成している請求項１０に記載の物品。
【請求項１２】
上記第一部が下端及び上端を有し、当該上端が空間を隔てられた第一咬合手段と第二咬合手段とを備えることによって当該第一部自体が曲げられて、当該第一部が立体形状に形成されるように当該第一咬合手段及び当該第二咬合手段が咬み合わされる請求項１から請求項１１のいずれかに記載の物品。
【請求項１３】
上記下端が曲面縁部を有し、立体形状に組み立てられた際に、上記第一部が通常逆円錐型となる請求項１２に記載の物品。
【請求項１４】
上記第一咬合手段がタブを含み、上記第二咬合手段が当該タブを受け止める受け口を含む請求項１２又は請求項１３に記載の物品。
【請求項１５】
上記タブは当該タブと上記受け口とを咬合させる切り込みを有し、当該タブの一部が当該受け口に隣接する上記第一部の裏側に位置される請求項１４に記載の物品。
【請求項１６】
支持体表面に置かれた際に、立体形状に組み立てられた上記第一部は、立体形状の安定性が高められるための重りを取り付けられるように適応されている請求項１から請求項１５のいずれかに記載の物品。
【請求項１７】
上記重りが上記第一部上の特定の部位に貼付され、当該第一部が立体形状に組み立てられた際に、当該特定の部位が最内部に位置する請求項１６に記載の物品。
【請求項１８】
上記立体形状が底部を有し、当該立体形状における内部の空洞が物体を挿入されることを特徴とする請求項１から請求項１７のいずれかに記載の物品。
【請求項１９】
上記第二部が留め具を支えることに適し、展示目的のために当該留め具が、組み立てられた上記物品を支えに付着させる請求項１から請求項１８のいずれかに記載の物品。
【請求項２０】
上記留め具は、上記物品を金属面に付着させる少なくとも１つのマグネットを含む請求項１９に記載の物品。
【請求項２１】
上記留め具が、組み立てられた上記物品を展示のために吊り下げる手段からなる懸垂要素を含む請求項１９に記載の物品。
【請求項２２】
請求項１から請求項２１のいずれかに記載の上記物品は、カードを構成する。
【請求項２３】
第一部と第二部とが相互につながっていることが特徴であるシートを含み、
上記第一部は立体形状に組み立てられ、
上記第二部は立体形状に組み立てられた当該第一部に隣接することを特徴とするカード。
【請求項２４】
第一部と第二部とが相互につながっていることが特徴であるシートを含み、
上記第一部が立体形状に組み立てられて前面となり、
上記第二部が当該立体形状の背面となる物品。
【請求項２５】
単一の平面素材によって形成されているシートからなり、
立体型に変形される少なくともひとつの部分を含み、
上記部分は下端及び上端を有し、
上記上端は空間を隔てられた第一咬合手段及び第二咬合手段が備えられることにより上記部分自体が曲げられて、
上記第一咬合手段と上記第二咬合手段とが咬み合わされて、上記部分が立体形状に形成される物品。
【請求項２６】
上記下端が曲面縁部を有し、立体形状に組み立てられた際に上記物品が通常逆円錐型となる請求項２５に記載の物品。
【請求項２７】
上記第一咬合手段がタブを含み、上記第二咬合手段が受け口を含む請求項２５又は請求項２６に記載の物品。
【請求項２８】
上記タブは当該タブと上記受け口とを咬合させる切り込みを有し、当該タブの一部が当該受け口に隣接する上記部分の裏側に位置される請求項２７に記載の物品。
【請求項２９】
上記部分が前面部分となり、背面部分が、折り目において当該前面部分と接続されている状態で当該背面部分が折りたたまれて、当該前面部分の裏に隣接する位置に直立状態で配される請求項２５から請求項２８のいずれかに記載の物品。
【請求項３０】
粘着手段が上記背面部分を上記前面部分と係合させて固定する請求項２９に記載の物品。
【請求項３１】
請求項２５から請求項３０のいずれかに記載の物品は、カードを構成する。
【請求項３２】
単一の平面素材によって形成されているシートからなり、
立体型に変形される少なくともひとつの部分を含み、
上記部分は下端及び上端を有し、
上記上端は空間を隔てられた第一咬合手段及び第二咬合手段が備えられることにより上記部分自体が曲げられて、
上記第一咬合手段と上記第二咬合手段とが咬み合わされて、上記部分が立体形状に形成されるカード。
【請求項３３】
添付された図面に関する本明細書で説明された品物。
【発明の詳細な説明】
【技術分野】
【０００１】
本発明は、通常平面に潰されたカードを立体形状の直立した状態に変形できる品物に関する。この品物は、あらゆる目的に応じて使用される。この品物として、例えば、挨拶、メッセージ又は他の情報を伝達するカード、装飾品、土産物、記念品、広告又はその他の情報を表示する装置が挙げられる。
【背景技術】
【０００２】
本発明の背景を説明するため、背景技術が記載されている。本発明は、関連する全ての要素がオーストラリア国内外で優先日より以前の本発明に関連する分野の一般の知識において承認又は確認されていないものとして認識されている。
【０００３】
カードは、特別な日または好意のしるしとして、一人の人物（送り主）から他の人物（受取人）に渡されることが知られている。通常、そのようなカードは、冊子型に作成される。冊子型のカードは、表紙にデザイン、メッセージ、写真又はこれらの組み合わせが組み込まれる。カードが開封される時、内部のカバーやページは、送り主のメッセージが添えられたもう一つのデザイン、メッセージ又は写真を有する。この構成の場合、カードは平面に折られ、封筒に入れられた状態で郵送によって対象の受取人に送られる。
【０００４】
通常これらのカードは、ある一定の期間、受取人によって展示される。カードのデザインによって、カードの展示が困難なこともある。冊子型カードの使用は、通常カードが展示される場合、表紙、中表紙又はページのみが展示されることを意味する。
【０００５】
グリーティングカードによって生じる感情や興味が高められるため、様々な提案がなされている。この提案は、グリーティングカードが展示のために立体形状に組み立てられる条件を介してなされている。これらの提案は、ＵＳ2,616,199、ＵＳ2,696,690、ＵＳ3,134,708、ＵＳ3,571,958及びＵＳ6,173,515において開示されている。
【０００６】
これらの提案は、興味を引き起こすために効果的であり、カードの三次元的な展示を可能としている。しかしながら、展示のためにカードを直立させる場合、カードを直立させるためには組み立てが必要以上に複雑であったり、直立されたカードが安定感に欠けることもある。
【発明の開示】
【発明が解決しようとする課題】
【０００７】
本発明は、最低限前述された不利な点を克服するものである。また、本発明は、前述された先行技術の構成に対する効果的な選択を提供する。
【課題を解決するための手段】
【０００８】
本発明に係る第一の態様によると、第一部と第二部とが相互につながっていることを特徴とするシートを含む品物であって、上記第一部は立体形状に組み立てられ、上記第二部は上記立体形状に組み立てられた当該第一部に隣接することを特徴とする物品が提供される。
【０００９】
上記第二部が、上記立体形状に組み立てられた当該第一部に直立状態で隣接するように配置されていることが好ましい。
【００１０】
上記第二部が、上記立体形状に組み立てられた当該第一部に直立状態で固定されることが好ましい。第二部が立体形状に組み立てられた上記第一部へ固定されるために、粘着手段が用いられてもよい。
【００１１】
上記第一部及び上記第二部が、折りたたまれた状態でつながっていることが好ましい。このため、当該第二部が折りたたまれた状態で、立体形状に組み立てられた当該第一部に隣接する。上記シートは、上記第一部と上記第二部とを相互接続する折りたたみ線を含む。
【００１２】
立体形状に組み立てられた上記第一部が前面とされ、上記第二部が当該前面の背面とされることが好ましい。
【００１３】
上記第一部が対向する二辺を有し、この二辺を繋げることにより立体形状が形成されることが好ましい。この配置において、当該第一部の対向する当該二辺がつなげられることによって、当該第一部自体が曲げられる。
【００１４】
上記シートは、単一の平面素材からなることが好ましい。この場合において、第一部が立体形状に組み立てられる前のシートは、実質的に平らである。
【００１５】
このシートは、適当な厚さの紙、ダンボール紙、プラスチック又は羊皮を含むあらゆるシート素材から作られる。典型的には、当該シート素材は、必要とされる形状を作成するために裁断される。また、当該シート素材は、打抜き方法によって裁断されてもよい。
【００１６】
上記第一部が少なくとも二つの部位を含み、当該部位はそれぞれ接続されて一体化され、
さらに当該部位が切り離されていることが好ましい。これにより、当該第一部が立体形状に組み立てられた際に、当該第一部における一部位が、その他の部位から突出される。ある配置においては、立体形状に組み立てられた上記第一部が、胴と頭とを有する体を表現する。すなわち、当該第一部における上記一部位が頭と胴の上部とを形成し、その他の部位が胴の下部を形成する。都合が良いことに、当該第一部が少なくとも２つの部位を有するように裁断されると同時に、必要な形状が作り出されるように当該シート素材が裁断される。
【００１７】
上記第一部が下端及び上端を有することが好ましい。このため、当該上端が空間を隔てられた第一咬合手段と第二咬合手段とを備えることによって、当該第一部自体が曲げられる。また、当該第一部が立体形状に形成されるように、当該第一咬合手段及び当該第二咬合手段とが咬み合わされる。
【００１８】
上記下端が曲面縁部を有することが好ましい。このため、立体形状に組み立てられた際に、上記第一部が通常逆円錐型となる
【００１９】
上記第一咬合手段がタブを含み、上記第二咬合手段が当該タブを受け止める受け口を含んでもよい。上記タブは切り込みを有する。このため、当該タブと上記受け口とが咬合される際、当該タブの一部は、当該受け口に隣接する上記第一部の裏側に位置する。
【００２０】
支持体表面に置かれた際に、立体形状に組み立てられた上記第一部は、立体形状の安定性が高められるための重りを取り付けられる。上記重りが、上記第一部上の特定の部位に貼付される。また、上記第一部が立体形状に組み立てられた際に、当該特定の部位が当該立体形状の最内部に位置する。
【００２１】
上記立体形状が底部を有し、当該立体形状内部の空洞が物体を挿入されることを特徴とする。
【００２２】
上記第二部が、留め具を支える。これにより、展示目的のために組み立てられた上記物品が、支えに付着される。あるアレンジにおいては、上記留め具は、当該物品を金属面に付着させる少なくとも１つのマグネットを含む。金属面として、例えば冷蔵庫の扉又は自動車の金属面が挙げられる。その他のアレンジにおいては、上記留め具が、懸垂要素を含んでいてもよい。懸垂要素とは、組み立てられた当該物品を展示のために吊り下げる手段であるコードのようなものを示す。
【００２３】
本発明に係る物品は、カードを構成することも可能である（例えば、グリーティングカード）。
【００２４】
本発明に係る第二の態様によると、第一部と第二部とが相互につながっていることが特徴であるシートを含む物品が提供される。この物品において、上記第一部は立体形状に組み立てられて前面となり、上記第二部は上記立体形状に組み立てられた当該第一部の背面となる。
【００２５】
本発明に係る第三の態様によると、単一の平面素材によって形成されているシートからなる物品が提供される。この物品は、立体型に変形される少なくともひとつの部分を含む。また、上記部分は、下端及び上端を有する。上記上端は空間を隔てられた第一咬合手段及び第二咬合手段が備えられる。このため、当該部分自体が曲げられて、当該第一咬合手段と当該第二咬合手段とがかみ合わされて、当該部分が立体形状に形成される。
【図面の簡単な説明】
【００２６】
以下に添付の図面で示されるいくつかの実施形態を参照することにより、本発明がより詳細に理解される。
【図１】図１は、本発明に係る第一実施形態の正面図である。第一実施形態の物品は、グリーティングカードとして構成され、２次元の平面として表されている。
【図２】図２は、２次元で表された図１のグリーティングカードの背面図である。
【図３】図３は、立体形状に組み立てる工程におけるグリーティングカードの正面斜視図である。
【図４】図４は、立体形状に組み立てられたグリーティングカードの正面斜視図である。
【図５】図５は、図４のグリーティングカードの側面図である。
【図６】図６は、組み立てられたグリーティングカードの背面図である。このグリーティングカードには、粘着テープを設けることが可能なマグネットやメッセージ領域が描かれている。
【図７】図７は、本発明に係る第二実施形態のグリーティングカードの背面図である。このグリーティングカードには、組み立て前に設置された重りが描かれている。
【図８】図８は、組み立てられた図７のグリーティングカードの下面斜視図である。
【図９】図９は、本発明に係る第三実施形態のグリーティングカードの側面図である。
【発明を実施するための形態】
【００２７】
図１及び図６において、第一実施形態に係る組み立てられたグリーティングカード１０が示されている。グリーティングカード１０は、図１及び図２において２次元で表されており、表面１２及び裏面１４を有するシート１１を含む。シート１１は、前面部１６と定義付けられた第一部と、背面部１８と定義付けられた第二部とから成る。背面部１８は、前面部１６に折り目２０を通じて取り付けられている。前面部１６及び背面部１８は、一枚のシート材料によって形成されている。グリーティングカード１０は、適切な厚さの紙から製作される。他の実施形態において、グリーティングカードは、幅広い素材から製作される。例えば、ダンボール、プラスチック素材、又は羊皮紙が挙げられるが、これに限定されない。典型的には、必要な形状のシート１１が作り出されるために、シート材料が裁断される。シート材料は、打抜きによって裁断されてもよい。
【００２８】
前面部１６は、一般的に半円型であり、上部２２（図参照）及び本体部２４を含む。また、本体部２４は、下側で外側に位置する曲線縁２５と、上部２２において対向する辺である上側の線状縁２６と線状縁２８とを含む。組み立てられたグリーティングカード１０が安定した形状であるために、追って説明されるように、曲線縁２５は線状縁２６及び線状縁２８のいずれかより長めであることが好ましい。
【００２９】
上部２２と本体部２４とは、一体化されている。上部２２と本体部２４との間に介在する結合部２１によって、上部２２と本体部２４とが結合されている。更に、上部２２と本体部２４とが、分離線２３上に沿って分離されている。図１及び図２において的確に示されているように、結合部２１は中心に配置され、分離線２３は結合部２１の両側に配置されている。分離線２３は、シート１１における切れ目として定義されている。切れ目が形成されると同時に、必要な形状のシート１１が形成されるように、シート材料が裁断されている。
【００３０】
この形態において、図４及び図５に示されるようにグリーティングカード１０が組み立てられた場合、上部２２が本体部２４から突出される。図に示されている配置の場合、立体形状に組み立てられた前面部１６は、胴体２７ａ及び頭部２７ｂを有する本体２７を表す。上部２２は、頭部及び胴体の上部を形成する。また、本体部２４は、胴体の下部を形成する。この実施形態において、本体２７は天使を表し、背面部１８は天使の羽を表現している。
【００３１】
上部２２は、実質的に円形である。代案として、上部２２が円形以外の異なる形であってもよい。例えば、四角、三角又は楕円の形が挙げられるが、これに限定されない。シート１１における曲線状の切り込み３６によって、上部２２は付属部分が設けられる。例えば、腕部分が挙げられるが、これに限定されない。
【００３２】
タブ３０が、線状縁２６に隣接されて設けられる。タブ３０は、タブ３０及び線状縁２６のシート上の接点に設けられた切込み３２の形状である切り欠きを有する。受け口３４は、線状縁２８に沿って設けられている。受け口３４は、線状縁２８から所定の距離を隔てられた位置に配置されている細長い小さな孔の形状である。受け口３４は、タブ３０の最も長い部分より短い。
【００３３】
上部２２と本体部２４との結合部分から隔てられて開口３８が設けられる。使用時に開口３８は、展示目的のため組み立てられたカード１０を吊るすことに使われることが可能である。組み立てられたカード１０は、釘やフックのような固定具によって直接吊るされる。別の方法として、組み立てられたカード１０は、開口３８を通されたコード３９によって吊るされる。コード３９として、例えば、リボン又は糸が挙げられる。
【００３４】
表面１２は、中心部分にメインのメッセージ領域３７を含む。メッセージ領域３７は、グリーティングカード１０の意図とされる感情に相当する挨拶文を含む。表面１２は、いくつものデザインや模様を含む。
【００３５】
背面部１８は、細い端４０及び幅広い端４２を有する形状である。背面部１８は、細い端４０側において前面部１６へ貼り付けられている。グリーティングカード１０は、 背面部１８と前面部１６との繋ぎ目である折り目２０を含む。本発明の他の実施形態において、背面部１８は様々な形が採用される。例えば、円、四角又は三角の形状が挙げられるが、これに限定されない。背面部１８は、あらゆるデザインや模様を含む。
【００３６】
背面部１８における表面１２の中央に、粘着手段４４が設けられる。粘着手段４４として、例えば両面テープが挙げられるが、これに限定されない。                        
【００３７】
背面部１８の裏面１４は、メッセージ又は挨拶文が含まれる第二のメッセージ領域４５を含む。グリーティングカード１０は、利用可能なメッセージの選択が提供されてもよい。典型的には、定型詩である。それぞれのメッセージは、シール上に記されてもよい。カードの送り主は、簡単に利用するメッセージを選択できる。また、図６が示すように、カードの送り主は、メッセージ領域４５に選択したメッセージが記されたシール４６を貼付することができる。                
【００３８】
裏面１４は、留め具４８を含む。これにより、組み立てられたカード１０が、展示用の支えに貼り付けられる。図示されているように、留め具４８は、組み立てられたカード１０を金属表面に貼付するためのマグネット４９を有する。金属表面として、例えば、冷蔵庫の扉や自動車の金属部分が挙げられる。他の実施形態では、留め具はのり、ゴム糊又は粘着テープが挙げられるが、これに限定されない。
【００３９】
図３が示するように、グリーティングカード１０が組み立てられるために、前面部１６はそれ自体が曲げられる。すなわち、図４と図５が示すように、反転された円錐型が形成されるように、線状縁２６と線状縁２８とが互いに接合される。上部２２は円錐の先に隣接する位置にあり、曲線縁２５はグリーティングカード１０の底面を構成している。いったん線状縁２６と線状縁２８とが接合されると、タブ３０は受け口３４に隣接する線状縁２８の後に隠される。このような配置は、タブ３０が裏面１４側から受け口３４に挿入されることにより可能とされる。タブ３０は、受け口３４に挿入可能なように、予め角度が付けられている。タブ３０の挿入後、タブ３０は、グリーティングカード１０の内部に配置される。逆円錐型のグリーティングカードは、さらなる構造的安定性を得られる。これにより、空気の動きによってグリーティングカードが安易に倒されることが防止される。
【００４０】
背面部１８が、折り目２０において折りまげられる。このため、背面部１８の表面１２が、前面部１６の線状縁２６及び線状縁２８に隣接するよう向けられる。粘着手段４４は、背面部１８の表面１２を本体部２４に接着するために使用される。他の形態において、適した別の接着手段が使われてもよい。例えば、のり又はゴム糊が挙げられるが、これに限定されない。
【００４１】
グリーティングカードの組み立てを完成させるために、コード３９が上部２２の開口３８に通される。
【００４２】
要望に応じて、グリーティングカード１０は、さらに折りたたまれる。これにより、円錐型の前面部１６が平らにされて、前面部１６は三角形状を形成する。この手段により、グリーティングカード１０は、他の目的にも使用される。例えば、しおりが挙げられる。
【００４３】
図７及び図８において、第二実施形態に係るグリーティングカード１０が示されている。第二実施形態に係るグリーティングカードは、第一実施形態といくつもの点で類似している。このため、対応する参照番号が、類似する部分を識別するために、対応する部分に使用される。この第二実施形態においては、前面部１６は、重り５０を有する。このため、例えば棚のような支持体表面に乗せられている際に、組み立てられたカードの安定感が得らる。重り５０は、組み立てられたカードが空中の動きや故意ではない衝撃のような障害に耐える支えとなる。重り５０は、様々な形を採り得る。重り５０がコインである場合が、特に便利であることが判明した。図示されている実施形態のように、裏面１４は、曲線縁２５にかなり隣接し、線状縁２６、２８から離れた位置に重り５０を有する。裏面１４に重り５０が貼付され、特に接着されていることが好ましい。
【００４４】
図９において、第三実施形態に係るグリーティングカード１０が示されている。第三実施形態に係るグリーティングカードは、第一実施形態といくつもの点で類似している。このため、対応する参照番号は、類似する部分を識別するために対応する部分に使用される。この第三実施形態においては、パネル５２が存在する。パネル５２は、立体形状に組み立てられた前面部１６における内部５６の底面５４を構成する。この形態において、内部５６は、上部開口５８を通じて物品を受け入れかつ収容する空洞である。この手法によると、このカードの受取人へ小さなギフト送る場合の包装として、この空洞が適用される。この実施形態に特に適している利用方法は、歯が抜けた子供に対して送ることである。子供が、抜けた歯を空洞に入れる。後に、「歯の妖精」によって、抜けた歯がコイン又は小さな贈り物と交換される。
【００４５】
また、組み立てられたカード１０は、単なる立体型のオブジェクトの贈り物とされることも可能である。
【００４６】
前述されたように、様々な実施形態において、シンプルでかつとても効果的なグリーティングカードが、伝統的なカードと同様に対象とする受取人に送付されることが可能となる。また、このグリーティングカードは、簡単に立体形状に組み立てられることによって、受取人に興味をもたせ展示を促す。
【００４７】
発明の範囲は、記載された様々な実施形態に限定されない。
【００４８】
当業者の受取人にとって類似とされる変更や変動は、本発明の範囲内と見なされる。
【００４９】
明細書の中で、文章において指定なければ、「含む（Comprise）」又は、「含む（Comprises）」、「含む（Comprising）」は、整数又は整数グループの含有を暗示すると理解されるが、しかし、整数又は整数グループの除外を暗示するとは理解されない。  
【図１】
2010515608.tif 000003
【図２】
2010515608.tif 000004
【図３】
2010515608.tif 000005
【図４】
2010515608.tif 000006
【図５】
2010515608.tif 000007
【図６】
2010515608.tif 000008
【図７】
2010515608.tif 000009
【図８】
2010515608.tif 000010
【図９】
2010515608.tif 000011
【国際調査報告】
2010515608.tif 000012
2010515608.tif 000013
2010515608.tif 000014